(57)【特許請求の範囲】
【請求項１】
サーバから番組と共に配信される所定の符号化方式のオーディオデータを、上記番組を受信する第１の機器でダウンロードし、そのダウンロードしたオーディオデータを、上記第１の機器の制御で、上記第１の機器と接続された第２の機器で媒体に記録させる制御方法であり、
上記サーバから上記第１の機器に配信された、オーディオデータのダウンロード処理を指示する第１のプログラムと、予め上記第１の機器に用意された第２のプログラムとの実行により、上記第２の機器での媒体への記録を制御する制御方法において、
上記第１機器で受信した上記第１のプログラムの実行により、オーディオデータのダウンロードを行う場合に、
上記第１の機器で上記第２のプログラムの実行で、上記第１の機器に接続された機器の情報を取得して、上記第１の機器の接続機器情報記憶部に記憶させ、記憶された情報に基づいて上記符号化方式のオーディオデータの記録が可能な機器を特定し、その特定した機器から上記第２の機器を選択させ、
上記第１のプログラムの実行で、上記第１の機器が、オーディオデータをダウンロードすると共に、そのダウンロードしたオーディオデータを上記選択された第２の機器に転送して上記媒体に記録させる制御を行う
制御方法。
【請求項２】
請求項１記載の制御方法において、
上記第２のプログラムの実行によって上記第２の機器を選択させる処理は、上記第１の機器の接続機器情報記憶部に、上記第２の機器を特定するデフォルト機器に関する情報が記憶されていない場合に実行し、
上記デフォルト機器に関する情報が記憶されている場合には、そのデフォルト機器を上記第２の機器として、上記ダウンロードしたオーディオデータの記録を行う
制御方法。
【請求項３】
請求項１又は２記載の制御方法において、
上記第２のプログラムの実行により取得されて上記接続機器情報記憶部に記憶される情報は、第２の機器に付与された識別コードの情報である
制御方法。
【請求項４】
請求項１〜３のいずれか１項に記載の制御方法において、
上記第２のプログラムは、所定の符号化方式のオーディオデータを伝送可能な所定の形式のバスラインを介して接続された上記第２の機器に対して処理を実行させるプログラムである
制御方法。
【請求項５】
サーバから番組と共に配信される所定の符号化方式のオーディオデータをダウンロードし、そのダウンロードしたオーディオデータを、接続された他の機器の中の特定の機器に用意された媒体に記録させる制御を行う制御装置において、
上記サーバから配信される第１のプログラムを記憶する第１の記憶部と、
上記第１のプログラムにより起動され、予め用意された第２のプログラムを記憶する第２の記憶部と、
上記他の機器に関する情報を記憶する接続機器情報記憶部と、
上記第１の記憶部に記憶された上記第１のプログラムの実行により、オーディオデータのダウンロードを行う場合に、上記第２の記憶部に記憶された上記第２のプログラムの実行で、当該装置に接続された機器の情報を取得して上記接続機器情報記憶部に記憶させ、記憶された情報に基づいて上記符号化方式のオーディオデータの記録が可能な機器を上記特定の機器として選択させる処理を行い、その特定の機器が選択された上で、上記第１の記憶部に記憶された第１のプログラムの実行で、オーディオデータをダウンロードすると共に、そのダウンロードしたオーディオデータを上記選択された特定の機器に転送して上記媒体に記録させる制御を行う処理部とを備えた
制御装置。
【請求項６】
請求項５記載の制御装置において、
上記処理部が上記第２のプログラムの実行によって上記特定の機器を選択させる処理は、上記第１の機器の接続機器情報記憶部に、上記特定の機器を示すデフォルト機器に関する情報が記憶されていない場合に実行し、
上記デフォルト機器に関する情報が記憶されている場合には、そのデフォルト機器を上記特定の機器として、上記ダウンロードしたオーディオデータの記録を行う
制御装置。
【請求項７】
請求項５又は６記載の制御装置において、
上記第２のプログラムの実行により取得されて上記接続機器情報記憶部に記憶される情報は、第２の機器に付与された識別コードの情報である
制御装置。
【請求項８】
請求項５〜７のいずれか１項に記載の制御装置において、
上記第２のプログラムは、所定の符号化方式のオーディオデータを伝送可能な所定の形式のバスラインを介して接続された上記特定の機器に対して処理を実行させるプログラムである
制御装置。
【発明の詳細な説明】
【０００１】
【発明の属する技術分野】
本発明は、例えばデジタル衛星放送を受信して、その受信した音楽プログラムなどをデータ蓄積装置にダウンロードさせる処理に適用して好適な制御方法及び制御装置に関する。
【０００２】
【従来の技術】
デジタル衛星放送の普及が進んでいる。デジタル衛星放送は、既存のアナログ放送に比べて、ノイズやフェージングに強く、高品質の信号を伝送することが可能である。また、周波数利用効率が向上され、多チャンネル化が図れる。例えば、デジタル衛星放送では１つの衛星で数百チャンネルを確保することが可能である。このようなデジタル衛星放送では、スポーツ、映画、音楽、ニュース等の専門チャンネルが多数用意されており、これらの専用チャンネルでは、それぞれの専用のコンテンツのプログラムが放映されている。
【０００３】
これらの専用チャンネルの中で、音楽チャンネルは、人気のあるチャンネルの１つであり、主に新曲やヒット曲の紹介等を行うプロモーション用の番組が放送されている。
【０００４】
上述のように、従来の音楽チャンネルでは、新曲紹介やヒット曲の番組が動画と音声で送られている。視聴者は、このような音楽チャンネルを見ていて気に入った楽曲があると、紹介されている楽曲のＣＤ等を購入して、楽しみたいと考えることがある。また、その楽曲のアーティストの情報や、その楽曲の収められているアルバムの情報を知りたくなることがある。音楽番組を見ていて、その楽曲のアーティストの情報やその楽曲の収められているアルバムの情報を知りたくなったら、その場でその情報が得られ、また、気に入った楽曲があったら、その楽曲のオーディオデータをダウンロードできれば非常に便利である。ところが、従来の音楽チャンネルでは、楽曲に関する動画と音声が一方的に送られるものであり、このような要請には応えられない。
【０００５】
そこで、このような問題点を解決するために、音楽チャンネルで放送されている音楽に関する情報を簡単に得ることができると共に、その楽曲データをデータ蓄積装置に簡単にダウンロードできるようにした音楽コンテンツ配信システムが提案されている（平成９年特許願第３０８４８８号）。また、このような音楽コンテンツ配信システムにおいて、楽曲データと共にその歌詞データやジャケットデータもダウンロードできるようにしたものが提案されている。
【０００６】
このような音楽コンテンツ配信システムを組む場合には、デジタル衛星放送を受信するユーザ側では、デジタル衛星放送を受信するチューナを、光磁気ディスクなどの記憶媒体を使用したデータ蓄積装置（記録装置）に接続して、チューナで受信した音楽プログラムを記録装置にダウンロードさせる処理が必要である。ここで、チューナで受信した音楽プログラムを記録装置にダウンロードさせるためには、例えば音楽プログラムとともに放送で伝送される該当するプログラムの開始時間などのデータに基づいて、チューナに接続された記録装置の記録動作などを制御する処理が必要で、チューナと記録装置とが連携して作動するように設定する必要があるが、例えばオーディオ信号を記録する記録装置には種々の機種があり、音楽プログラムを送出する放送局側からのデータで、チューナに接続される可能性のある不特定の記録装置を直接的に制御することは事実上困難である。
【０００７】
また、チューナに接続される記録装置は、１台であるとは限らず、複数台の記録装置が接続されることも考えられ、この場合に音楽プログラムダウンロードさせる記録装置を放送局側から選択することも不可能であり、チューナで何らかの対処が必要である。
【０００８】
上述したダウンロードを可能にするために、外部から得られるプログラム（ＨＴＭＬ(Hyper Text Make-Up Language) やＭＨＥＧ(Multimedia and Hypermedia Information Coding Experts Group)などのスクリプトと呼ばれるもの）が、チューナに予め用意された内部のプログラムから、機器の情報を取得し、チューナにその情報を基に放送されたどの音楽プログラムをどの機器のダウンロードするかを指示できるようにした制御装置を本出願人は先に提案した（特願平１０−２０２３６０号）。
【０００９】
【発明が解決しようとする課題】
ところで、先に出願した特願平１０−２０２３６０号で提案した処理では、ユーザがチューナの電源を入れて初めてダウンロードを行う際に、ダウンロードする記録装置が、どの機器であるのかチューナは判断ができない問題がある。ここではダウンロードする記録装置として選択された機器を、デフォルト機器と称する。
【００１０】
このデフォルト機器が存在しない状態、例えば記録装置に対してダウンロードの処理を実行するのが初めてである場合、外部からのプログラムは内部のプログラムに対して、現在チューナに接続されている機器の情報の取得を依頼し、接続されている機器のリストを表示させて、ユーザにその中からどの機器に対してダウンロードするかを選択するシーケンスを実行しなければならない。
【００１１】
また、以前取得した機器の情報をチューナが制御部（ＣＰＵ）内の所定のメモリに保存していたとしても、その機器が次にダウンロードするときに、接続されていない場合（例えばユーザがダウンロードされる機器を新たに購入して機器を交換した場合など）、現在接続されている機器の情報を新たに取得し、接続されている機器のリストを表示させて、ユーザにその中からどの機器を使用するのかを再度選択させなければならない。
【００１２】
また、先に提案したダウンロード処理では、以前にダウンロードを実行した機器でダウンロード処理を実行することになっているが、ダウンロードの対象となる機器の状態（電源が入っているか、記録メディアが挿入されているかなど）によっては、ダウンロードを実行する処理が開始された後に、記録メディアが挿入されていない等により、ダウンロード処理に異常が発生して、その処理が途中で終了してしまう場合がある。このような場合には、以後デフォルト機器としてどの機器を選択したら良いか判断ができなくなってしまう可能性があり、何らかの対処が必要であった。
【００１３】
チューナがさまざまがネットワーク（例えばＩＥＥＥ１３９４方式、ＵＳＢ(Universal Serial Bus)など）に接続可能な構成となっていた場合、更にユーザに対して煩雑な入力操作をさせて、機器を特定させないと、どのネットワークに接続されたどの機器をダウンロードの対象にするかは特定できなくなり、ユーザにとってはダウンロードのための操作が非常に煩わしいものになってしまう。
【００１４】
なお、ここでは音楽プログラムをデジタル衛星放送で伝送する場合の問題について説明したが、放送波などを使用して外部から伝送される各種プログラムを、受信側でそのプログラムと共に伝送されるデータに基づいてダウンロードさせる場合には、同様の問題がある。
【００１５】
本発明の目的は、外部から得られるプログラムの接続された機器へのダウンロードが、適切にダウンロード機器を選択した上で、簡単に行えるようにすることにある。
【００１６】
【課題を解決するための手段】
本発明の制御方法は、
サーバから番組と共に配信される所定の符号化方式のオーディオデータを、上記番組を受信する第１の機器でダウンロードし、そのダウンロードしたオーディオデータを、上記第１の機器の制御で、上記第１の機器と接続された第２の機器で媒体に記録させる制御方法であり、
上記サーバから上記第１の機器に配信された、オーディオデータのダウンロード処理を指示する第１のプログラムと、予め上記第１の機器に用意された第２のプログラムとの実行により、上記第２の機器での媒体への記録を制御する制御方法において、
上記第１機器で受信した上記第１のプログラムの実行により、オーディオデータのダウンロードを行う場合に、
上記第１の機器で上記第２のプログラムの実行で、上記第１の機器に接続された機器の情報を取得して、上記第１の機器の接続機器情報記憶部に記憶させ、記憶された情報に基づいて上記符号化方式のオーディオデータの記録が可能な機器を特定し、その特定した機器から上記第２の機器を選択させ、
上記第１のプログラムの実行で、上記第１の機器が、オーディオデータをダウンロードすると共に、そのダウンロードしたオーディオデータを上記選択された第２の機器に転送して上記媒体に記録させる制御を行う制御方法としたものである。
【００２０】
また本発明の制御装置は、
サーバから番組と共に配信される所定の符号化方式のオーディオデータをダウンロードし、そのダウンロードしたオーディオデータを、接続された他の機器の中の特定の機器に用意された媒体に記録させる制御を行う制御装置において、
上記サーバから配信される第１のプログラムを記憶する第１の記憶部と、
上記第１のプログラムにより起動され、予め用意された第２のプログラムを記憶する第２の記憶部と、
上記他の機器に関する情報を記憶する接続機器情報記憶部と、
上記第１の記憶部に記憶された上記第１のプログラムの実行により、オーディオデータのダウンロードを行う場合に、上記第２の記憶部に記憶された上記第２のプログラムの実行で、当該装置に接続された機器の情報を取得して上記接続機器情報記憶部に記憶させ、記憶された情報に基づいて上記符号化方式のオーディオデータの記録が可能な機器を上記特定の機器として選択させる処理を行い、その特定の機器が選択された上で、上記第１の記憶部に記憶された第１のプログラムの実行で、オーディオデータをダウンロードすると共に、そのダウンロードしたオーディオデータを上記選択された特定の機器に転送して上記媒体に記録させる制御を行う処理部とを備えた
制御装置としたものである。
【００２４】
【発明の実施の形態】
以下、本発明の一実施の形態を、添付図面を参照して説明する。
【００２５】
本発明が適用されたシステムは、デジタル衛星放送を使用して音楽番組を放送すると共に、この音楽番組と関連するオーディオデータを配信することにより、視聴者が音楽番組を視聴できるようにし、さらに、視聴して気に入った楽曲があった場合に、その場でその楽曲を簡単に購入できるようにしたものである。
【００２６】
図１は、本発明が適用された音楽コンテンツ配信システムの全体構成を示すものである。この図に示すように、デジタル衛星放送の地上局１には、テレビ番組素材サーバ６からのテレビ番組放送の素材と、楽曲素材サーバ７からの楽曲データの素材と、音声付加情報サーバ８からの音声付加情報と、ＧＵＩ（Graphical User Interface：グラフィカルユーザインタフェース）データサーバ９からのＧＵＩデータとが送られる。
【００２７】
テレビ番組サーバ６は、通常の音楽放送番組の素材を提供するサーバである。このテレビ番組素材サーバ６から送られてくる音楽放送の素材は動画及び音声であり、通常の音楽放送番組では、例えば、新曲紹介のプロモーション用の動画と音声が放送されたり、最新のヒット曲のカウントダウンが放送されたりする。
【００２８】
楽曲素材サーバ７は、オーディオチャンネルを使用して、オーディオ番組を提供するサーバである。このオーディオ番組の素材は音声のみである。この楽曲素材サーバ７は、複数のオーディオチャンネルのオーディオ番組の素材を地上局１へ送る。各オーディオチャンネルの番組放送では、それぞれ、同一の楽曲が所定の単位時間繰り返して放送される。各オーディオチャンネルは、それぞれ、独立しており、その利用方法は各種のものが考えられる。例えば、１つのオーディオチャンネルでは、最新の日本のポップスの中の推薦曲を所定時間繰り返して放送し、他のオーディオチャンネルでは、最新のアメリカンポップスの中の推薦曲を所定時間繰り返して放送し、さらに他のオーディオチャンネルでは、ジャズの中から推薦曲を所定時間繰り返して放送しても良い。また、同じアーティストの複数の楽曲をそれぞれのオーディオチャンネルに分けて繰り返して放送しても良い。
【００２９】
音声付加情報サーバ８は、楽曲素材サーバ７から出力される楽曲の時間情報を提供するものである。
【００３０】
ＧＵＩデータサーバ９は、配信される楽曲のリストページや各楽曲の情報ページの画面を形成するためのデータ、ジャケットの静止画データを形成するためのデータ、ＥＰＧ（Electric Program Guide）用の画面を形成するためのデータ等を提供するものである。詳細は後で説明するように、本発明が適用されるシステムでは、画面上のＧＵＩの操作により、配信される楽曲の歌詞やアーティストのコンサート情報等を画面に表示させることができる。また、画面上のＧＵＩの操作により、楽曲の選択、ダウンロードおよびその予約等を行うことができる。ＧＵＩデータサーバ９からは、そのためのデータが送られる。なお、本例のＧＵＩデータとしては、例えばＭＨＥＧ（Multimedia and Hypermedia Information Coding Experts Group）方式で定められたフォーマットのデータとしてある。
【００３１】
地上局１は前述した、テレビ番組素材サーバ６からの音楽番組放送の素材となるビデオデータ及びオーディオデータと、楽曲素材サーバ７からのオーディオチャンネルの素材となるオーディオデータと、音声付加情報サーバからの音声付加情報と、ＧＵＩデータサーバ９からのＧＵＩデータとを多重化して送信する。このとき、テレビ番組放送のビデオデータは例えばＭＰＥＧ（Moving Picture Experts Group）２方式により圧縮され、テレビ番組放送のオーディオデータはＭＰＥＧ２オーディオ方式により圧縮される。各オーディオチャンネルのオーディオデータは二つの異なる方式、例えばＭＰＥＧ２オーディオ方式とＡＴＲＡＣ（Adaptive Transform Acoustic Coding）方式により圧縮される。また、これらのデータは多重化の際、キー情報サーバ１０からのキー情報を用いて暗号化される。
【００３２】
地上局１からの信号は、人工衛星２を介して各家庭に設置された受信設備３で受信される。衛星２には複数のトランスポンダが搭載されている。１つのトランスポンダは例えば３０Ｍｂｐｓの伝送能力を有している。各家庭の受信設備３としては、パラボラアンテナ１１と、ＩＲＤ（Integrated Receiver Decoder ）１２と、ストレージデバイス１３と、テレビジョン受像機１４とが用意される。
【００３３】
パラボラアンテナ１１で、衛星２を介して送られてきた信号が受信される。この受信信号がパラボラアンテナ１１に取り付けられたＬＮＢ（Low Noise Block Downconverter ）１５で所定の周波数に変換され、ＩＲＤ１２に供給される。
【００３４】
ＩＲＤ１２は受信信号から所定のチャンネルの信号を選択し、ビデオデータ及びオーディオデータの復調を行うものである。また、ＩＲＤ１２は、配信される楽曲のリストページや、各楽曲の情報ページや、ＧＵＩ用の画面を形成する。そして、ＩＲＤ１２の出力はテレビジョン受像機１４に供給される。
【００３５】
ストレージデバイス１３はダウンロードされたオーディオデータを保持するためのものである。例えば、ストレージデバイス１３としては、ＭＤ（ミニディスク）と称される光磁気ディスクを記録媒体として使用したＭＤレコーダ／プレーヤ、磁気テープを記録媒体として使用したＤＡＴレコーダ／プレーヤ、ビデオ記録用の光ディスクなどを記録媒体として使用したＤＶＤレコーダ／プレーヤ等を用いることができる。また、ストレージデバイス１３としてパーソナルコンピュータを用い、そのパーソナルコンピュータでハードディスクやＣＤ−Ｒ，ＣＤ−ＲＷなどの媒体にオーディオデータを保存することも可能である。
【００３６】
ＩＲＤ１２は、例えば電話回線４を介して課金サーバ５と結ばれている。ＩＲＤ１２には、各種情報が記憶されるＩＣカードが挿入される。楽曲のオーディオデータのダウンロードが行われると、その情報がＩＣカードに記憶される。このＩＣカードの情報は、電話回線４を介して、課金サーバ５に送られる。課金サーバ５は、このダウンロード情報から適切な課金を行い、視聴者に請求する。このように、適切な課金を行うことにより、ダウンロードされる楽曲の著作権を保護することができる。
【００３７】
このように本例のシステムでは、地上局１は、テレビ番組素材サーバ６からの音楽番組放送の素材となるビデオデータおよびオーディオデータと、楽曲素材サーバ７からのオーディオチャンネルの素材となるオーディオデータと、音声付加情報サーバ８からの音声付加情報データと、ＧＵＩデータサーバ９からのＧＵＩデータとを多重化して送信している。そして、各家庭の受信設備３でこの放送を受信すると、音楽番組が見られる他、送られてきたＧＵＩデータに基づいてＧＵＩ画面が表示される。このＧＵＩ画面を見ながら必要な操作を行うと、各楽曲についての情報ページを見ることができ、また、各楽曲についての試聴を行うことができる。さらに、ＧＵＩ画面を見ながら必要な操作を行うことで、所望の楽曲のオーディオデータをダウンロードして、ストレージディスク１３に記憶することができる。
【００３８】
次に、各家庭に設置された受信設備３における視聴者の操作について、さらに詳細に説明する。
【００３９】
各家庭の受信設備３でこの放送を受信すると、テレビジョン受像機１４に図２に示すような画面が表示される。画面の左上部のテレビ番組表示エリア２１Ａには、テレビ番組素材サーバ６から提供された音楽番組に基づく動画像が表示される。画面の右上部には、オーディオチャンネルで放送されている各チャンネルの楽曲のリスト２１Ｂが表示される。また、画面の左下にはテキスト表示エリア２１Ｃとジャケット表示エリア２１Ｄが設定される。さらに、画面の右側には歌詞表示ボタン２２、プロフィール表示ボタン２３、情報表示ボタン２４、予約録音ボタン２５、予約済一覧表示ボタン２６、録音履歴表示ボタン２７、およびダウンロードボタン２８が表示される。
【００４０】
視聴者は、このリスト２１Ｂに表示されている楽曲名を見ながら、興味のある楽曲を探していく。そして、興味のある楽曲を見つけたら、リモートコマンダの矢印キーを操作してその楽曲にカーソルを合わせた後、ＩＲＤ１２に付属するリモートコマンダのエンターキーを押す。これによって、カーソルを合わせた楽曲を聞くことができる。すなわち、各オーディオチャンネルでは、所定の単位時間中、同一の楽曲が繰り返し放送されているので、テレビ番組表示エリア２１Ａの画面はそのままで、その楽曲のオーディオチャンネルに切り換えられ、その楽曲を試聴することができる。この時、ジャケット表示エリア２１Ｄにはその楽曲のＭＤジャケットの静止画像が表示される。
【００４１】
この状態で歌詞表示ボタン２２にカーソルを合わせ、エンターキーを押す（以下、ボタンにカーソルを合わせ、エンターキーを押す操作をボタンを押すという）と、テキスト表示エリア２１Ｃに楽曲の歌詞がオーディオデータと同期したタイミングで表示される。同様に、プロフィール表示ボタン２３あるいは情報表示ボタン２４を押すと、楽曲に対応するアーティストのプロフィールあるいはコンサート情報等がテキスト表示エリア２１Ｃに表示される。このようにユーザは、現在どのような楽曲が配信されているのかを知ることができ、各楽曲についての詳細な情報を知ることができる。
【００４２】
ユーザが試聴した楽曲を購入したい場合には、ダウンロードボタン２８を押す。ダウンロードボタン２８が押されると、選択された楽曲のオーディオデータがダウンロードされ、ストレージデバイス１３に記憶される。楽曲のオーディオデータと共に、その歌詞データ、アーティストのプロフィール情報、ジャケットの静止画データ等をダウンロードすることもできる。楽曲がダウンロードされる毎にその情報がＩＲＤ１２内のＩＣカードに記憶される。ＩＣカードに記憶された情報は、例えば１ヵ月に一度ずつ課金サーバ５に吸い上げられる。これによって、ダウンロードされる楽曲の著作権を保護することができる。
【００４３】
また、視聴者はあらかじめダウンロードの予約を行いたい場合には、予約録音ボタン２５を押す。このボタンを押すと、ＧＵＩ画面が切り換わり、予約が可能な楽曲のリストが画面全体に表示される。このリストは１時間単位、１週間単位、ジャンル単位等で検索した楽曲を表示することが可能である。視聴者はこのリストの中からダウンロードの予約を行いたい楽曲を選択すると、その情報がＩＲＤ１２内に登録される。そして、すでにダウンロードの予約を行った楽曲を確認したい場合には、予約済一覧表示ボタン２６を押すことにより、画面全体に表示させることができる。このようにして予約された楽曲は、予約時刻になるとＩＲＤ１２によりダウンロードされ、ストレージデバイス１３に記憶される。
【００４４】
視聴者はダウンロードを行った楽曲について確認したい場合には、録音履歴ボタン２７を押すことにより、既にダウンロードを行った楽曲のリストを画面全体に表示させることができる。
【００４５】
このように、本例のシステムの受信設備３では、テレビジョン受像機１４のＧＵＩ画面上に楽曲のリストが表示される。そして、このＧＵＩ画面上の表示にしたがって楽曲を選択するとその楽曲を試聴することができ、その楽曲の歌詞やアーティストのプロフィール等を知ることができる。さらに、楽曲のダウンロードとその予約、ダウンロードの履歴や予約済楽曲リストの表示等を行うことができる。
【００４６】
以上、説明したように、本発明が適用された音楽コンテンツ配信システムでは、音楽放送番組が配信されると共に、複数のオーディオチャンネルを使用して楽曲のオーディオデータが配信される。そして、配信されている楽曲のリスト等を使用して所望の楽曲を探し、そのオーディオデータをストレージデバイス１３に簡単に保存することができる。以下、このようなシステムについて、更に詳述する。
【００４７】
図３は本例の音楽コンテンツ配信システムにおける地上局１の構成を示すものである。
【００４８】
図３において、テレビ番組素材登録システム３１からの素材データはＡＶサーバ３５に登録される。この素材データはビデオデータとオーディオデータである。ＡＶサーバ３５に登録されたデータは、テレビ番組送出システム３９に送られ、ここでビデオデータは例えばＭＰＥＧ２方式で圧縮され、オーディオデータは例えばＭＰＥＧ２オーディオ方式により圧縮されパケット化される。テレビ番組送出システム３９の出力はマルチプレクサ４４に送られる。
【００４９】
また、楽曲素材登録システム３２からのオーディオデータは、ＭＰＥＧ２オーディオエンコーダ３６ＡおよびＡＴＲＡＣエンコーダ３６Ｂに供給され、各々エンコードされた後、ＭＰＥＧオーディオサーバ４０ＡおよびＡＴＲＡＣオーディオサーバ４０Ｂに登録される。ＭＰＥＧオーディオサーバ４０Ａに登録されたＭＰＥＧオーディオデータは、ＭＰＥＧオーディオ送出システム４３Ａに送られ、ここでパケット化された後、マルチプレクサ４４に送られる。ＡＴＲＡＣオーディオサーバ４０Ｂに登録されたＡＴＲＡＣデータは、ＡＴＲＡＣオーディオ送出システム４３Ｂに４倍速ＡＴＲＡＣデータとして送られ、ここでパケット化された後、マルチプレクサ４４に送られる。
【００５０】
さらに、音声付加情報登録システム３３からの音声付加情報は、音声付加情報データベース３７に登録される。音声付加情報データベース３７に登録された音声付加情報は、音声付加情報送出システム４１に送られ、ここでパケット化された後、マルチプレクサ４４に送られる。
【００５１】
また、ＧＵＩ用素材登録システム３４からのＧＵＩデータは、ＧＵＩ素材データベース３８に登録される。ＧＵＩ素材データベース３８に登録されたＧＵＩ素材データは、ＧＵＩオーサリングシステム４２に送られ、ここでＧＵＩ用の画面のデータが処理され、パケット化された後、マルチプレクサ４４に送られる。ここで、ＧＵＩ素材データにはジャケットの静止画情報、楽曲の歌詞情報、アーティストのコンサート情報等が含まれるが、静止画情報は例えばＪＰＥＧ（Joint Photographic Experts Group）方式で圧縮された６４０×４８０ピクセル、歌詞情報は例えば８００文字以内のテキストデータとされ、それぞれパケット化される。
【００５２】
マルチプレクサ４４においては、テレビ番組送出システム３９からのビデオパケットおよびオーディオパケットと、ＭＰＥＧオーディオ送出システム４３Ａからのオーディオパケットと、ＡＴＲＡＣオーディオ送出システム４３Ｂからの４倍速オーディオパケットと、音声付加情報送出システム４１からの音声付加情報パケットと、ＧＵＩオーサリングシステム４２からのＧＵＩデータパケットとが時間軸多重化されると共に、キー情報サーバ１０（図１）からのキー情報を用いて暗号化される。
【００５３】
マルチプレクサ４４の出力は電波送出システム４５に送られ、ここで誤り訂正符号の付加、変調、および周波数変換等の処理を施された後、アンテナから衛星２に向けて送信される。
【００５４】
図４は地上局１から送信されるデータの一例を示すものである。なお、この図に示す各データは実際には時間軸多重化されている。図４に示すように、時刻ｔ１から時刻ｔ２の間が１つのイベントとされ、時刻ｔ２から次のイベントとされる。イベントとは楽曲のラインナップを変える単位であって、３０分または１時間を単位とするのが普通である。例えば、最新ヒット曲のトップ２０の２０位から１１位を先のイベントで放送し、１０位から１位を後のイベントで放送すること等が考えられる。
【００５５】
図４に示すように、時刻ｔ１から時刻ｔ２のイベントでは、通常の動画の番組放送で、所定の内容Ａ１を有する音楽番組が放送されている。また、時刻ｔ２から始まるイベントでは、所定の内容Ａ２を有する音楽番組が放送されている。この通常の音楽番組で放送されているのは、動画と音声である。
【００５６】
オーディオチャンネルは、例えば、チャンネルＣＨ１からＣＨ１０の１０チャンネル分用意される。このとき、各オーディオチャンネルＣＨ１，ＣＨ２，ＣＨ３，‥‥ＣＨ１０では、１つのイベントの間、同一の楽曲が繰り返して送信される。すなわち、時刻ｔ１から時刻ｔ２のイベントでは、オーディオチャンネルＣＨ１では、楽曲Ｂ１が繰り返して送信され、オーディオチャンネルＣＨ２では楽曲Ｃ１が繰り返して送信され、以下、同様にオーディオチャンネルＣＨ１０では楽曲Ｋ１が繰り返して送信される。時刻ｔ２から始まるイベントでは、オーディオチャンネルＣＨ１では、楽曲Ｂ２が繰り返して送信され、オーディオチャンネルＣＨ２では楽曲Ｃ２が繰り返して送信され、以下、同様にオーディオチャンネルＣＨ１０では楽曲Ｋ２が繰り返して送信される。これは、ＭＰＥＧオーディオチャンネルおよび４倍速ＡＴＲＡＣオーディオチャンネルに共通である。
【００５７】
つまり、図４において、ＭＰＥＧオーディオチャンネルと４倍速ＡＴＲＡＣオーディオチャンネルのチャンネル番組である（  ）内の数字が同じものは同じ楽曲に関するものである。また、音声付加情報のチャンネル番組である（  ）内の数字は、同じチャンネル番組を有するオーディオデータに付加されている音声付加情報である。さらに、ＧＵＩデータとして伝送される静止画データやテキストデータも各チャンネル毎に形成される。これらのデータは、図５（ａ）〜（ｄ）に示すようにＭＰＥＧ２のトランスポートパケット内で時分割多重化されて送信され、図５（ｅ）〜（ｈ）に示すようにＩＲＤ１２内では各データパケットのヘッダ情報を用いて再構築される。
【００５８】
次に、各家庭の受信設備３について説明する。
【００５９】
図１に示したように、各家庭の受信設備としてはパラボラアンテナ１１と、ＩＲＤ１２と、ストレージデバイス１３と、テレビジョン受像機１４とが用意される。ここでは、図６に示すように、ストレージデバイスとしてＭＤ（ミニディスク）と称される光磁気ディスクを記録媒体として使用した記録再生装置１３Ａを使用する。本例の記録再生装置１３Ａは、ＩＥＥＥ１３９４方式のバスライン１６での接続に対応したデッキとしてあり、ＩＲＤ１２と記録再生装置１３ＡとがＩＥＥＥ１３９４バスライン１６で接続された場合について説明する。そして、このＩＥＥＥ１３９４対応記録再生装置１３Ａは、ＩＲＤ１２で選択した楽曲のオーディオデータと共に、そのジャケットデータおよび歌詞データを含むテキストデータを蓄積することができる。なお、ＩＥＥＥ１３９４方式のバスライン１６を使用した接続では、いわゆるリンク接続により複数台（例えば６４台まで）の機器を接続することが可能であり、ストレージデバイスについてもＩＥＥＥ１３９４方式のバスライン１６でＩＲＤ１２に複数台同時に接続できる。
【００６０】
図７はＩＲＤ１２の構成の一例を示すものである。このＩＲＤ１２は外部端子あるいはインタフェースとして、入力端子Ｔ１、アナログビデオ出力端子Ｔ２、アナログオーディオ出力端子Ｔ３、光デジタル出力インタフェース５９、ＩＥＥＥ１３９４インタフェース６０、マンマシンインタフェース６１、ＩＣカードスロット６２、モデム６３、赤外線インターフェース６６を備えている。
【００６１】
入力端子Ｔ１はＬＮＢ２５で所定の周波数に変換された受信信号が入力される端子である。アナログビデオ出力端子Ｔ２はアナログビデオ信号をテレビジョン受像機１４に供給する端子である。アナログオーディオ出力端子Ｔ３はアナログオーディオ信号をテレビジョン受像機１４に供給する端子であり、アナログオーディオ出力端子Ｔ４はアナログオーディオ信号をアナログ入力のストレージデバイスに供給する端子である。光デジタル出力インタフェース５９はＩＥＣ９５８に準拠したものであって、ＰＣＭオーディオデータを光ファイバケーブル（図示せず）に送出する。ＩＥＥＥ１３９４インタフェース６０は、ビデオデータ、オーディオデータおよび各種コマンド等をＩＥＥＥ１３９４形式のバスラインへ送出する。マンマシンインタフェース６１はユーザによるリモートコントロール装置６４からの赤外線信号による入力データを制御用ＣＰＵ５８に送る。ＩＣカードスロット６２にはＩＣカード６５が挿入される。モデム６３は電話回線４を介して課金サーバ５と接続される。赤外線インターフェース６６は、制御用ＣＰＵ５８から赤外線信号によりストレージデバイスを制御するためのインターフェースで、この赤外線インターフェース６６に所定の信号線を介して接続された赤外線出力部６７から、ストレージデバイス制御用の赤外線信号が出力される。
【００６２】
チューナ５１は制御用ＣＰＵ５８からの設定信号に基づいて、端子Ｔ１から供給される受信信号の中から所定受信周波数の信号を選択し、さらに復調と誤り訂正処理を施してＭＰＥＧトランスポートストリームを出力する。デスクランブラ５２は、チューナー５１からＭＰＥＧトランスポートストリームを受け、ＩＣカード６５に記憶されているデスクランブル用の鍵データをＩＣカードスロット６２と制御用ＣＰＵ５８を介して受け取り、この鍵データを用いてデスクランブルを行う。トランスポートＩＣ５３は、ユーザがリモコン６４から入力した指令をマンマシンインタフェース６１と制御用ＣＰＵ５８とを介して受け取り、トランスポートストリームの中から所望のテレビ番組のＭＰＥＧビデオデータとＭＰＥＧオーディオデータを抽出する。ＭＰＥＧビデオデコーダ５５は、トランスポートＩＣ５３から供給されるＭＰＥＧビデオデータをデータ圧縮前のビデオデータに変換する。ＭＰＥＧオーディオデコーダ５４は、トランスポートＩＣ５３から供給されるＭＰＥＧオーディオデータをデータ圧縮前のオーディオデータ（ＰＣＭオーディオデータ）に変換する。ＤＡコンバータ５６は、ＭＰＥＧオーディオデコーダ５４から供給されるオーディオデータをアナログオーディオ信号に変換し、アナログオーディオ出力端子Ｔ３に供給する。
【００６３】
制御用ＣＰＵ５８はＩＲＤ１２全体の処理を行う。この場合、制御用ＣＰＵ５８には、作業用メモリ５８ａ，５８ｂが接続してある。メモリ５８ａは、データの書換えが自在なメモリであり、チューナ５１で受信してトランスポートＩＣ５３で抽出したトランスポートストリームの中から、ＧＵＩ用の画面などを生成させるＭＨＥＧデータや音声付加情報などについては、このメモリ５８ａに蓄積される。メモリ５８ｂは、ＩＲＤ１２の製造時にプログラムがセットされた不揮発性メモリであり、ＩＲＤ１２を作動させるのに必要な各種プログラムが予め記憶させてある。このメモリ５８ｂに記憶されたプログラムとしては、例えばＭＨＥＧデータに基づいて起動されて、ＧＵＩ用の画面を生成させる処理や、ＩＲＤ１２に接続されたストレージデバイスを制御する処理などを行うレジデントプログラムなどがある。
【００６４】
また、制御用ＣＰＵ５８に対して、ユーザがリモートコントロール装置６４を用いて入力した指令をマンマシンインタフェース６１を介して受け取る。さらに、制御用ＣＰＵ５８にはモデム６３が接続されている。課金に必要な情報はＩＣカード６５に記憶される。このＩＣカード６５の情報はモデム６３を用いて電話回線４を介して、課金サーバ５（図１）に送られる。
【００６５】
そして制御用ＣＰＵ５８は、メモリ５８ａに蓄積されたデータに基づいて、リストページの画面や各楽曲の情報ページの画面、あるいはＧＵＩ用の画面データを形成する。このようにして形成された画面データはＭＰＥＧビデオデコーダ５５内のバッファメモリの所定のエリアに書き込まれる。これにより、図２に示したように、画面上の指定のエリアに、放送されてくる楽曲のリストページや各楽曲の情報ページの画面、あるいはＧＵＩ用の画面を表示させることができる。
【００６６】
次に、図７に示したＩＲＤ１２の動作を説明する。
【００６７】
図７に示したＩＲＤ１２において、これまで説明した音楽コンテンツ配信システムのチャンネルをユーザが選択すると、テレビジョン受像機１４の画面上に図２に示したようなＧＵＩ画面が表示される。
【００６８】
この時、端子Ｔ１に入力された受信信号は、チューナー５１に供給される。チューナー５１では、制御用ＣＰＵ５８からの設定信号に基づいて受信信号の中から所定受信周波数の信号が選択され、さらに復調と誤り訂正処理が施されてＭＰＥＧトランスポートストリームが出力される。
【００６９】
チューナー５１の出力はデスクランブラ５２に供給される。デスクランブラ５２では、ＩＣカード６５に記憶されているデスクランブル用の鍵データがＩＣカードスロット６２と制御用ＣＰＵ５８を介して入力され、この鍵データを用いてＭＰＥＧトランスポートストリームのデスクランブルが行われる。デスクランブルされたＭＰＥＧトランスポートストリームはトランスポートＩＣ５３に送られる。
【００７０】
トランスポートＩＣ５３では、ユーザがリモートコントロール装置６４から入力した指令がマンマシンインタフェース６１と制御用ＣＰＵ５８とを介して入力される。そして、その指令にしたがって、トランスポートストリームの中から所望のテレビ番組のＭＰＥＧビデオデータとＭＰＥＧオーディオデータが抽出され、それぞれＭＰＥＧビデオデコーダ５５とＭＰＥＧオーディオデコーダ５４に送られる。
【００７１】
ＭＰＥＧビデオデコーダ５５に送られたＭＰＥＧビデオデータはここでデータ圧縮前のビデオデータに変換され、次にＮＴＳＣ変換ブロック５７でコンポジットビデオ信号に変換された後、アナログビデオ出力端子Ｔ２からテレビジョン受像機へ出力される。ＭＰＥＧオーディオデコーダ５４に送られたＭＰＥＧオーディオデータはここでデータ圧縮前のオーディオデータに変換され、次にＤＡコンバータ５６でアナログオーディオ信号に変換された後、アナログオーディオ出力端子Ｔ３からテレビジョン受像機へ出力される。
【００７２】
図２に示したＧＵＩ画面上の楽曲のリスト２１Ｂにより楽曲が選択され、その楽曲のオーディオデータを試聴する場合には、トランスポートＩＣ５３からＭＰＥＧオーディオデータが抽出され、ＭＰＥＧオーディオデコーダ５４でデコードされ、ＤＡコンバータ５６でデジタル／アナログ変換された後、アナログオーディオ出力端子Ｔ３からテレビジョン受像機１４（図１）へ出力される。
【００７３】
また、図２に示したＧＵＩ画面上でダウンロードボタン２８が押され、オーディオデータをダウンロードする際には、トランスポートＩＣ５３からオーディオデータが抽出され、アナログオーディオ出力端子Ｔ３、光デジタル出力インタフェース５９、またはＩＥＥＥ１３９４インタフェース６０のいずれか一つからオーディオデータが出力される。
【００７４】
すなわち、図６に示したように、ＩＥＥＥ１３９４インタフェース６０にＩＥＥＥ１３９４対応の記録再生装置１３Ａが接続されている場合には、トランスポートＩＣ５３において４倍速ＡＴＲＡＣデータが抽出され、ＩＥＥＥ１３９４インタフェース６０を介して、ＩＥＥＥ１３９４対応の記録再生装置１３Ａに送出される。また、この時、トランスポートＩＣ５３においてＪＰＥＧ方式で圧縮されているジャケットデータが抽出され、ＩＥＥＥ１３９４インタフェース６０を介してＩＥＥＥ１３９４対応の記録再生装置１３Ａに送出される。さらに、この時、トランスポートＩＣ５３において歌詞やアーティストのプロフィール等のテキストデータが抽出され、ＩＥＥＥ１３９４インタフェース６０を介して、ＩＥＥＥ１３９４対応の記録再生装置１３Ａに送出される。
【００７５】
光デジタル出力インタフェース５９にストレージデバイス（ＩＥＥＥ１３９４インタフェースを備えていない機種）が接続されている場合には、トランスポートＩＣ５３においてＭＰＥＧオーディオデータが抽出され、ＭＰＥＧオーディオデコーダ５４でデコードされた後、光デジタル出力インタフェース５９を介してＰＣＭオーディオデータがストレージデバイスに送出される。この場合の構成については後述する。
【００７６】
図８はＩＥＥＥ１３９４対応の記録再生装置１３Ａの構成の一例を示すブロック図である。このＩＥＥＥ１３９４対応の記録再生装置１３ＡはＩＥＥＥ１３９４インタフェース７１と、光デジタル入力インタフェース７２と、アナログオーディオ入力端子Ｔ１２と、アナログオーディオ出力端子Ｔ１３とを備えている。ＩＥＥＥ１３９４インタフェース７１は記憶再生部７５と直接的に接続されている。光デジタル入力インタフェース７２はＡＴＲＡＣエンコーダ７４を介して記録再生部７５と接続されている。アナログオーディオ入力端子Ｔ１２はＡ／Ｄコンバータ７３を介してＡＴＲＡＣエンコーダ７３に接続されている。そして、アナログオーディオ出力端子Ｔ１３はＤ／Ａコンバータ７８とＡＴＲＡＣデコーダ７７を介して記録再生部７５と接続されている。記録再生部７５にはディスク（光磁気ディスク）７６がセットされ、このディスク７６に対して記録再生を行う。なお、ここでは図示を省略したが、このＩＥＥＥ１３９４対応の記録再生装置１３Ａの全体の制御等を行う制御用ＣＰＵと、マンマシンインタフェースが設けられている。
【００７７】
次に、このＩＥＥＥ１３９４対応の記録再生装置１３Ａの記録時の動作を説明する。
【００７８】
ＩＥＥＥ１３９４インタフェース７１と図７に示したＩＲＤ１２のＩＥＥＥ１３９４インタフェース６０とが接続されている場合には、ＩＥＥＥ１３９４インタフェース６０から送出された楽曲のオーディオデータ、歌詞等のテキストデータ、およびジャケット等の静止画データは、ＩＥＥＥ１３９４インタフェース７１から入力され、そのまま記録再生部７５によってディスク７６に記録される。後で説明するように、この時、ディスク７６上には拡張ＭＤフォーマットにより、各データが記録される。
【００７９】
光デジタル入力インタフェース７２に外部からＰＣＭオーディオデータが入力される場合には、入力されたＰＣＭオーディオデータはＡＴＲＡＣエンコーダ７４でエンコードされた後、記録再生部７５によってディスク７６に記録される。
【００８０】
アナログオーディオ入力端子Ｔ１２に外部からアナログオーディオ信号が入力される場合には、入力されたアナログオーディオ信号はＡＤコンバータ７３でアナログ／デジタル変換され、ＡＴＲＡＣエンコーダ７４でエンコードされた後、記録再生部７５によってディスク７６に記録される。
【００８１】
つまり、このＩＥＥＥ１３９４対応の記録再生装置１３Ａでは、ＩＲＤ１２との間がＩＥＥＥ１３９４インタフェースで接続されている場合のみ、楽曲のオーディオデータと共にその歌詞データやジャケットの静止画データが記録され、光デジタルインタフェースでの接続またはアナログオーディオ接続の場合には、オーディオデータのみが記録される。
【００８２】
再生時には、ＩＥＥＥ１３９４インタフェース７１またはアナログオーディオ出力端子Ｔ１３から再生信号を出力することができる。そして、ＩＥＥＥ１３９４インタフェース７１から出力するときに、ディスク７６に楽曲のオーディオデータと共にその歌詞データやジャケットデータが記録されている場合には、楽曲データをＩＥＥＥ１３９４対応のオーディオ機器（アンプ等）に出力することが可能であると共に、歌詞データやジャケットデータをＩＥＥＥ１３９４対応のディスプレイで表示したり、ＩＥＥＥ１３９４対応のプリンタで印刷したりすることが可能である。
【００８３】
このように、本発明を適用したＩＥＥＥ１３９４対応の記録再生装置では、楽曲のオーディオデータと共にその歌詞データやジャケットデータの記録再生が可能である。
【００８４】
この記録再生は図９に示す拡張ＭＤフォーマットを用いることで可能になる。この図に示すように、楽曲のオーディオデータはＡＴＲＡＣ方式でメインデータエリアに記録される。これは現行のＭＤフォーマットと同じである。そして、拡張ＭＤフォーマットでは、さらに２．８Ｍｂｙｔｅの補助データ（Aux Data）エリアに前述したジャケットデータや歌詞データ等を記録する。このフォーマットを使用することにより、楽曲のオーディオデータと共にジャケットデータや歌詞データを記録再生することができる。また、現行のＭＤフォーマットとの互換性を維持することができる。
【００８５】
次に、図７に示した受信設備において、音楽プログラムである楽曲のＡＴＲＡＣオーディオデータ、および音声付加情報であるジャケットデータや歌詞データなどをダウンロードする際の処理を、図１０のフローチャートを参照して説明する。
【００８６】
まず、ユーザがＩＲＤ１２において、ＥＭＤ（Electric Music Duwnload ）のチャンネル、即ちこれまで説明した楽曲データのダウンロードを可能にした音楽放送のチャンネルを選択する（ステップ１０１）。具体的には、テレビジョン受像機１４に表示されているＥＰＧ画面を見ながら、図７に示すリモートコントロール装置６４をチャンネルの選択指令を与える。ＩＲＤ１２では、制御用ＣＰＵ５８がマンマシンインターフェース６１を介して、ユーザのチャンネル選択指令を受け取り、チューナ５１にチャンネル設定信号を送って、所望のチャンネルに設定する。
【００８７】
このチャンネルが選択されると、制御用ＣＰＵ５８は、ＰＭＴ（Program Map Table ）と呼ばれるセクションデータを参照して、この選択されたチャンネルにＥＰＧ画面（リスト画面）を形成させるＭＨＥＧデータがあるか否か判断する（ステップ１０２）。ここで、ＥＰＧ画面用のＭＨＥＧデータがない場合には、本例のダウンロード処理を行うチャンネルでないと判断して、処理を終了する。上述したＡＴＲＡＣオーディオが送出されるチャンネルを選択した場合には、ＥＰＧ画面用のＭＨＥＧデータがあり、制御用ＣＰＵ５８は、作業用メモリ５８ｂに予め用意されたＭＨＥＧデータを解釈するプログラム（レジデントプログラム）を立ち上げて、受信したＭＨＥＧデータを解釈する（ステップ１０３）。
【００８８】
そして、この解釈したＭＨＥＧデータに基づいて、制御用ＣＰＵ５８がＥＰＧ画面の画像データを作成させ、その画像データをデコーダ５５に供給し、ＩＲＤ１２に接続されたテレビジョン受像機１４の画面に表示させる（ステップ１０４）。このとき表示されるＥＰＧ画面は、例えば図２に示す画面である。ここで、この画面中に表示された曲の選択操作と、その選択された曲のダウンロード操作がリモートコントロール装置６４のキー操作で行われるまで制御用ＣＰＵ５８は待機する（ステップ１０５）。ダウンロードと表示された箇所２８が押下げられる操作に対応したリモートコントロール信号の供給があると、メモリ５８ｂに予め用意されたレジデントプログラム内のゲットデバイスプログラムを立ち上げさせ、このゲットデバイスプログラムで、ＩＥＥＥ１３９４方式のバスラインで接続されたストレージデバイス１３Ａの機器ＩＤを取得して、ＭＨＥＧデータの実行処理部に渡す処理を行う（ステップ１０６）。ここでの機器ＩＤとは、ＩＥＥＥ１３９４方式のバスラインで接続に予め所定ビット数（ここでは６４ビット）で付与された識別コードであり、機器の製造メーカのコード，機器の機種の種別コード，機器のシリアルコードなどが所定の規格による配列で設定されるもので、機器ＩＤをメモリ５８ｂに用意されたプログラムで判別することで、接続された機種の種類や機能などが制御用ＣＰＵ５８で判る。レジデントプログラムにより機器ＩＤを取得する処理の詳細については後述する。
【００８９】
制御用ＣＰＵ５８が接続されたストレージデバイスの機器ＩＤを取得すると、その機器ＩＤに基づいて、ＩＲＤ１２に接続された機器のリスト表示用の画像データを作成し、その画像データをデコーダ５５に供給し、ＩＲＤ１２に接続されたテレビジョン受像機１４の画面に表示させる（ステップ１０７）。ここで、この画面中に表示された機器の選択操作がリモートコントロール装置６４のキー操作で行われるまで制御用ＣＰＵ５８は待機する（ステップ１０８）。この機器の選択操作に対応したリモートコントロール信号の供給があると、ステップ１０５でダウンロードが指示された曲のＡＴＲＡＣデータが受信されるまで待機し、受信されるタイミングになると、その曲のＡＴＲＡＣデータと、この曲のジャケットデータなどの静止画像データ（ＪＰＥＧデータ）及び歌詞などのテキストデータを、選択された機器（ストレージデバイス）に、ＩＥＥＥ１３９４インターフェース６０からバスライン１６に送出する。このとき、ＩＥＥＥ１３９４インターフェース６０から送出されるデータには、送信先アドレスとして、選択された機器に設定されたノードＩＤを付与する。また、曲のオーディオデータであるＡＴＲＡＣデータについては、アイソクロナス転送（同期転送）が行われ、ＪＰＥＧデータやテキストデータについては、アシンクロナス転送（非同期転送）が行われる。送信先の機器で、伝送されるＡＴＲＡＣデータなどを記録させる処理を実行させる制御データについても、アシンクロナス転送で伝送させる。このように処理されることで、バスライン１６に送出されたデータは、接続された機器、ここではＩＥＥＥ１３９４対応の記録再生装置１３Ａに装填されたディスクに、図９に示す状態で記録される。
【００９０】
そして制御用ＣＰＵ５８は、このＩＥＥＥ１３９４のバスライン１６により選択された曲に関する全てのデータのダウンロードが終了したか否か判断し（ステップ１１０）、終了したと判断したときには、別の曲のダウンロード指示があるか否か判断し（ステップ１１１）、別の曲のダウンロード指示がある場合には、ステップ１０９に戻って、その曲のダウンロード処理を行う。ステップ１１１で選択された全ての曲のダウンロード処理が終了したと判断したときには、処理をダウンロードに関する処理を終了する。なお、このＡＴＲＡＣオーディオデータなどのダウンロードを実行した際に、このデータが有料のデータである場合には、所定の課金処理が行われる（ここでは課金処理の詳細については省略する）。
【００９１】
ここで、このフローチャートに示したレジデントプログラムにより機器ＩＤを取得する処理の詳細を図１１のフローチャートと、図１２に示すプログラムの対応を示す図を参照して説明する。まず、図１２を参照してプログラムの状態を説明すると、制御用ＣＰＵ５８に接続されたメモリ５８ａに受信したＭＨＥＧデータで示されるプログラム（スクリプト）には、ダウンロード処理を指示するプログラムと、接続されたストレージデバイスを制御するコントロールデバイス処理を指示するプログラムと、接続されたストレージデバイスの機器ＩＤを取得するゲットデバイス処理を指示するプログラムと、各処理により設定される変数の設定エリアなどが用意されている。また、制御用ＣＰＵ５８側には、各処理を指示するプログラムのコマンドに対応したレジデンスプログラムのアドレスが設定してある。そして、メモリ５８ｂには、各コマンドの実行プログラムが、所定のアドレス位置に予め用意されている。
【００９２】
このようにプログラムが設定された状態で、レジデントプログラムにより機器ＩＤを取得する処理を図１１のフローチャートに基づいて説明すると、図１０のフローチャートのステップ１０５でダウンロードの押下げ操作に相当する指令があると、スクリプト中のその動作によって起動すべきレジデントプログラムの名前（ここではゲットデバイス）を制御用ＣＰＵ５８の演算処理部に渡す（ステップ１２１）。この演算処理部では、図１２に示すように、受信したプログラムで指示されるコマンドと、ＩＲＤ１２側に用意されたレジデントプログラムのアドレスとの対応データとから、メモリ５８ｂに記憶された該当するプログラム（ゲットデバイス）の記憶アドレスを判断して、そのアドレスのプログラムの実行コマンドを送る（ステップ１２２）。
【００９３】
この実行コマンドの発生により、メモリ５８ｂに記憶されたゲットデバイスのプログラムが制御用ＣＰＵ５８内の演算処理部で実行される（ステップ１２３）。このゲットデバイスのプログラムの実行により、ＩＥＥＥ１３９４インターフェース６０から、このインターフェース６０にバスラインで接続された全てのノード（機器）に対して、その機器ＩＤの返送を求めるデータの送信を、例えばアシンクロナス転送で行う。このデータを受信した全てのノードでは、その機器に付与された機器ＩＤを、ＩＲＤ１２にバスラインでアシンクロナス転送により返送し、その返送されたデータを、ＩＥＥＥ１３９４インターフェース６０から制御用ＣＰＵ５８に供給する。制御用ＣＰＵ５８では、この機器ＩＤの伝送があると、その伝送された機器ＩＤから機器の種類を判断する。
【００９４】
ここで、ＡＴＲＡＣオーディオデータの記録ができるストレージデバイスとしての機器（例えば図６に示すように接続されたＩＥＥＥ対応の記録再生装置１３Ａ）があった場合、制御用ＣＰＵ５８がレジデントプログラムを利用して、その機器のリストを画面中に一覧表示させる画像データを作成し、その画像データをデコーダ５５に供給し、ＩＲＤ１２に接続されたテレビジョン受像機１４の画面に表示させる（ステップ１２４）。機器のリスト表示としては、機器ＩＤから判断される機器の機種名（例えばＭＤ，ＤＶＤ，バソコンなどの機種の略称）などを表示する。同じ名称の機種が複数ある場合には、例えばＭＤ１，ＭＤ２のように番号を付与して表示する。場合によっては、機種のメーカー名などのより詳細な情報を表示させても良い。この表示された機器リストから、ユーザが機器を選択するステップ１０８以降は、図１０のフローチャートで説明したとおりである。
【００９５】
このように処理が行われることで、ＡＴＲＡＣオーディオデータの記録ができるストレージデバイスとしての機器が、ＩＲＤ１２にＩＥＥＥ１３９４形式のバスラインを介して接続されている場合には、ＡＴＲＡＣオーディオデータなどが送出される側から伝送されるＭＨＥＧデータに基づいて、接続された機器のリストを作成する処理が起動されて、その処理自体はＩＲＤ１２内に予め用意されたレジデントプログラムで実行されて、リストが表示されて、ＡＴＲＡＣオーディオデータなどをダウンロードする機器が容易に選択できる。従って、見かけ上は送出側から伝送されるＭＨＥＧデータによりＩＲＤ１２でリスト表示がなされることになるが、実際には機器ＩＤを取得する処理の詳細は、ＩＲＤ１２に用意されたレジデントプログラムで実行され、ＩＲＤ１２の実際の構成に基づいた適切な機器ＩＤの取得処理が行われる。特に、ＩＥＥＥ１３９４形式のバスラインでは、非常に多くの機器（例えば６４台）を接続できるため、複数台の機器がＩＲＤ１２にバスラインで接続された場合の選択処理が、リスト表示に基づいて効率良く行える。
【００９６】
なお、図１０のフローチャートに示した処理では、ダウンロードを選択した際に、必ず機器ＩＤを取得して接続された全機器のリスト表示を行うようにしたが、何らかの処理によって現在接続されている１台以上の機器の中らか、ユーザにとってもっとも望ましい１台をメモリ５８ｂにあるデフォルト機器取得依頼プログラムが最適に判断して、第２のプログラムに返却したほうが、ユーザにとって機器を選択するという動作が省略でき、使用感が向上する。望ましい１台を選択する処理については後述する。以下にデフォルトされた機器が存在するときの処理を、図１３のフローチャートを参照して説明する。図１３のフローチャートにおいて、ＥＭＤのチャンネルを選択するステップ１０１から、選択された曲のダウンロード操作が行われるステップ１０５までは、図１０のフローチャートと同じである。
【００９７】
そして図１３において、ステップ１０５でのダウンロード操作があると、ＩＲＤ１２の制御用ＣＰＵ５８は、ＣＰＵ５８内にデフォルトされた機器ＩＤを取得する処理を行う（ステップ１３１）。この処理の実行で、以前に取得して制御用ＣＰＵ５８にデフォルトされた機器ＩＤの記憶があるか否か判断する（ステップ１３２）。ここで、デフォルトされた機器ＩＤがある場合には、制御用ＣＰＵ５８がそのデフォルトされた機器へのダウンロードであることを確認させる画像データを作成して、テレビジョン受像機１４の画面に表示させて、ユーザに確認させる（ステップ１３３）。ここで、その機器へのダウンロードであることがリモートコントロール装置６４の操作で選択されたとき、そのデフォルトされた機器へのダウンロードを、既に説明した図１０のフローチャートのステップ１１０の処理と同様に実行する（ステップ１３４）。このダウンロード処理が終了したことを判断すると（ステップ１３５）、そのときダウンロードさせた機器の機器ＩＤを、制御用ＣＰＵ５８内の所定のメモリに記憶させて、デフォルトさせた後（ステップ１３６）、別のダウンロードがあるか否か判断し（ステップ１３７）、別のダウンロードがある場合にはステップ１０５に戻り、別のダウンロードがない場合には、ダウンロード処理を終了する。
【００９８】
また、ステップ１３２でデフォルトされた機器ＩＤがない場合と、ステップ１３３でデフォルトされた機器へのダウンロードでないことが選択された場合には、ステップ１４１に移って、機器ＩＤをゲットデバイス処理で取得し、その取得した機器ＩＤに基づいたリスト表示を行う。そして、そのリスト表示から機器をユーザ操作で選択させて（ステップ１４２）、選択された機器へのダウンロードを実行する（ステップ１４３）。このステップ１４１〜１４３の処理は、図１０のフローチャートで既に説明したステップ１０６〜１０９の処理と同じである。そして、このステップ１４３でのダウンロードが開始された後はステップ１３５に移って、ダウンロードが終了するまで待機し、このときダウンロードさせた機器の機器ＩＤを、制御用ＣＰＵ５８内の所定のメモリに記憶させて、デフォルトさせる（ステップ１３６）。
【００９９】
このように前回のダウンロード処理で使用した機器のＩＤをＩＲＤ１２内でデフォルトさせておくことで、前回使用した機器と同じ機器へのダウンロード時には、バスラインで接続された機器のＩＤを取得する処理が必要なく、選択処理に要する時間を短縮することができると共に、ユーザが必要とする選択操作についてもステップ１３３での確認作業だけで良く、非常に簡単に操作できる。また、ステップ１３６でデフォルトの機器ＩＤを所定のメモリに記憶しているが、ダウンロードの終了を待つまでも無く、記憶をしても良い。例えば、指定した機器がネットワーク上に繋がっているが記録可能な記録メディアが挿入されていなかった場合、ダウンロードは正常に終了しない。このような場合でも機器ＩＤを記憶していれば、ユーザが対処後（この場合には正しい記録メディアをユーザが挿入した場合）、再度デフォルト機器ＩＤを外部のプログラムが取得し、それを基にダウンロード処理を実行することで、ユーザにとって、入力操作が少なくなり、使用感が向上する。
【０１００】
ここで、メモリ５８ｂに格納されたプログラムがデフォルトの機器を適切に選択し、外部のプログラムに情報を渡す処理について詳述する。もっとも望ましいのは上述した、ダウンロードさせた機器のＩＤを制御用ＣＰＵ５８内の所定のメモリに記憶させてデフォルト機器取得の依頼が外部のプログラムで指示されたとき、そのメモリに記憶されたＩＤを渡すことである。また、外部のプログラムから機器の種類の指定付きで要求があった場合に備えて、各機器の種類別に制御用ＣＰＵ５８内の所定のメモリに、デフォルト機器のＩＤとその種類を記憶させれば、いろいろな種類の機器にダウンロードをしたとしても、各種類の機器に対して、デフォルトの機器が存在することになり、ユーザの手間を省くことができる。ここでの機器の種類としては、例えばＭＤレコーダ／プレーヤ、ＤＡＴレコーダ／プレーヤ、ＤＶＤレコーダ／プレーヤ、デジタルビデオ（ＤＶ）レコーダ／プレーヤ、パーソナルコンピュータ等がある。
【０１０１】
この場合の処理例を、図１４のフローチャートに示す。この場合の基本的な処理シーケンスは図１３に示したフローチャートの処理と同じである。即ち、この場合には、ステップ１０５でダウンロードボタンの押下げを検出した後、ステップ１３１′でデフォルト機器の情報を取得する際に、そのときに指定された種類の機器に関するデフォルト機器を取得処理する。そして、ステップ１３５でダウンロードが終了した後に、ステップ１３６′で制御用ＣＰＵ５８内のメモリにデフォルト機器の情報を記憶させる際に、その機器のＩＤだけでなく、機器の種類（例えばＭＤ，ＤＡＴなどの種類）の情報についても記憶させる。
【０１０２】
ところで、受信機（ＩＲＤ）に始めて電源を投入したときや、上述したシーケンスでデフォルトの機器となった機器を次回ダウンロード実行時、ユーザがネットワークから外していた場合、たとえ、制御用ＣＰＵ５８内のメモリに以前使用していた機器を記憶していたとしても、再度リストを表示させてユーザに機器を選択してもらわなくてはならない。このような場合でも、外部のプログラムから指定された種類の機器が接続されていた場合、その中の最適な１台の機器をデフォルトの機器とみなす選択処理を行い、内部のプログラムが外部のプログラムにデフォルト機器情報を返却するようにしても良い。
【０１０３】
図１５のフローチャートは、この場合の処理の一例を示したものである。以下このフローチャートの処理を説明すると、ステップ１０１からステップ１３２までは、図１４に示した処理と同様である。また、制御用ＣＰＵ５８内のメモリに記憶されたＩＤで示されるデフォルト機器にダウンロードする場合（ステップ１３３からステップ１３７）についても、同様である。
【０１０４】
そして、ステップ１３２において、デフォルト機器ＩＤが制御用ＣＰＵ５８内のメモリに記憶されていなかったり、或いは記憶されていても、ユーザの操作などによってその機器との接続が外されていた場合、ステップ１５１に移行する。ここで、内部のプログラムはステップ１３１′で外部から要求された条件（ダウンロードする機器の種類など）に合致する機器が現在ネットワークに接続されているかを検索する。もし、適切な機器が１台以上接続されていた場合、例えばもっとも時間軸上で直近に接続された機器をデフォルト機器として選択して、外部のプログラムに返却する。そして、ステップ１５１でデフォルト機器が選択できた場合、ユーザがその機器へのダウンロードを選択するか否か選択させて（ステップ１５２）、その機器へのダウンロードが選択された場合に、その機器へのダウンロードを実行し（ステップ１５３）、ステップ１３５に移る。
【０１０５】
そして、ステップ１５１でデフォルト機器が選択できなかった場合と、ステップ１３３又はステップ１５２でデフォルト機器へのダウンロードをユーザが指定しなかった場合には、ステップ１４１に移行して、接続されている機器のＩＤをレジデントプログラムに取得依頼して、リスト表示をさせる。そして、ユーザがそのリストから選択されたとき（ステップ１４２）、その選択された機器へのダウンロードを実行させて（ステップ１４３）、ステップ１３５に移る。
【０１０６】
そして、この場合にもステップ１３５のダウンロード終了後に、ステップ１３６′で制御用ＣＰＵ５８内のメモリにデフォルト機器の情報を記憶させる際に、その機器のＩＤ及び機器の種類を記憶させる。
【０１０７】
なお、上述した実施の形態では、ＩＥＥＥ１３９４形式のバスラインでＩＲＤ１２に接続されたストレージデバイスに対してダウンロードする際の処理について説明したが、ＩＥＥＥ１３９４形式のインターフェースを備えないストレージデバイスに対してのダウンロード処理を実行することもできる。図１６は、この場合の受信設備のシステム構成例を示す図で、ここで用意されたストレージデバイスは、ＭＤと称される光磁気ディスクを記録媒体として使用したディスク記録再生装置１３Ｂであり、光デジタル入力インターフェース７２を備えて、ＩＲＤ１２の光デジタル入力インターフェース５９を、光ケーブル１７（又は同軸ケーブル）で接続してデジタルデータの伝送ができるようにすると共に、赤外線によるリモートコントロール信号が入力されるマンマシンインターフェース７９ａを備え、ＩＲＤ１２の赤外線インターフェース６６（図７参照）に接続された赤外線出力部６７を、このマンマシンインターフェース７９ａの赤外線受光部の近傍に配置する。
【０１０８】
ディスク記録再生装置１３Ｂの構成を図１７に示すと、ディスクにデータを記録し再生する基本的な構成は、図８に示したディスク記録再生装置１３Ａと同じであるが、ここではＩＥＥＥ１３９４インターフェースがなく、リモートコントロール信号が入力されるマンマシンインターフェース７９ａが、制御用ＣＰＵ７９に接続してある。その他の構成は、図８に示したディスク記録再生装置１３Ａと同じ構成である。
【０１０９】
このような構成とした場合には、ＩＲＤ１２の制御用ＣＰＵ５８で作成させる画像データに基づいてテレビジョン受像機１４に表示される何らかの設定画面（例えば初期設定画面）を表示させて、リモートコントロール装置６４の操作などでの画面上での選択操作を行って、ディスク記録再生装置１３Ａを接続したことをユーザ操作で設定させる。このときには、接続した機種の種類などをユーザ操作で設定させる。そして、ユーザ操作で設定された情報に基づいて、制御用ＣＰＵ５８は、接続された機器に独自の機器ＩＤを付与する。例えば、上述したＩＥＥＥ１３９４形式のバスラインで接続された機器から得られる機器ＩＤが、６４ビットで構成されるとすると、このユーザ操作で設定される機器ＩＤとしては、その６４ビットの最下位に１ビット付与した６５ビットで構成して、その付与した１ビットで、ユーザ設定により付与された機器コードであることが認識できるようにする。最下位に１ビット以外の６４ビットについては、例えばユーザ設定された状態に基づいて設定する。或いは、ここでは最下位の１ビット以外は無視するようにしても良い。
【０１１０】
ダウンロードを指示する操作がなされたときには、受信したＡＴＲＡＣオーディオデータを、ＩＲＤ１２内のオーディオデコーダ５４でＡＴＲＡＣデータから圧縮されてないデジタルオーディオデータにデコードした後、光デジタル出力インターフェース５９から光ケーブル１７によりディスク記録再生装置１３Ｂの光デジタル入力インターフェース７２に供給すると共に、ＩＲＤ１２の制御用ＣＰＵ５８で記録再生装置１３Ｂでの記録を制御する指令を生成させて、その指令を赤外線インターフェース６６に供給し、赤外線インターフェース６６に接続された赤外線出力部６７から、記録再生装置１３Ｂでの記録動作を開始させるリモートコントロール信号を出力して、供給したデジタルオーディオデータをディスクに記録させる。このとき、記録再生装置１３Ｂでは、供給されるオーディオデータを再びＡＴＲＡＣオーディオデータにエンコードして圧縮する処理を行った後、そのエンコードされたＡＴＲＡＣオーディオデータを記録する。
【０１１１】
そして、ダウンロードが終了するタイミングになると、ＩＲＤ１２の制御用ＣＰＵ５８で記録再生装置１３Ｂでの記録を停止させる指令を生成させて、その指令を赤外線インターフェース６６に供給し、赤外線インターフェース６６に接続された赤外線出力部６７から、記録再生装置１３Ｂでの記録動作を停止させるリモートコントロール信号を出力して、ディスクへの記録動作を停止させる。
【０１１２】
なお、このようなバスラインを使用しない接続でストレージデバイスへのダウンロードを行った際には、ＡＴＲＡＣオーディオデータに付随する静止画像データやテキストデータについては伝送させず、ディスクにはオーディオデータだけを記録させる。
【０１１３】
このように構成することで、ＩＥＥＥ１３９４形式のバスラインのインターフェースを備えていないストレージデバイスに対するダウンロードにも対応できる。
【０１１４】
なお、上述した実施の形態では、ＡＴＲＡＣオーディオと称されるオーディオデータを、ＭＤ（ミニディスク）と称される記録媒体を使用したストレージデバイスにダウンロードする処理について説明したが、その他の外部から得られるオーディオデータ，画像データ，電子メールデータ，インターネットの各種コンテンツデータなどを、接続されたストレージデバイスにダウンロードさせる際に、そのデータの送出側からの同時に伝送されるプログラムデータに基づいてダウンロードを実行させる際の処理にも適用できる。
【０１１５】
また、オーディオデータなどの送出側から受信設備までの間の伝送路としては、人工衛星により中継するデジタル衛星放送を適用したが、他の放送用の伝送路を適用しても良い。例えば、ケーブルテレビと称される光テーブル又は同軸ケーブルを使用して、送出側と受信設備との間を有線で直接接続した伝送路の所定のチャンネルでＡＴＲＡＣオーディオデータなどを伝送して、受信設備側で同様のダウンロードを行うようにしても良い。また、電話回線などのその他の伝送路を使用しても良い。
【０１１６】
また、ストレージデバイスとそのストレージデバイスに接続される機器との間は、ＩＥＥＥ１３９４形式のバスラインで接続したが、その他の形式のデータ伝送路で接続しても良いことは勿論である。
【０１１７】
【発明の効果】
本発明の制御方法によると、例えば外部のプログラムから内部のプログラムに対してデフォルト機器情報の取得依頼があった際に、所定のメモリ内にデフォルト機器のＩＤが記憶されていなかった場合でも、接続されている機器の中から最も望ましい機器の情報を返却することにより、現在接続されている機器の情報を取得し、接続されている機器のリストを表示させて、ユーザにその中からどのネットワークのどの機器を使用するのか選択させる手間を省かせることができ、ユーザにとって使用感が向上する。
【０１１８】
また、第２の機器の選択は、第１の機器の接続機器情報記憶部に、第２の機器に関する情報が記憶されてない場合に実行することで、デフォルト機器が選択されてない場合でも、自動的に最適な機器が選択されるようになる。
【０１２１】
また、第２のプログラムの実行により取得される情報は、第２の機器に付与された識別コードの情報であることで、第１の機器側で第２の機器の種類などを判別でき、第２の機器の制御がその判別した識別コードに基づいて適切に行える。
【０１２２】
また、第２のプログラムは、所定の形式のバスラインを介して接続された第２の機器に対して処理を実行させるプログラムであることで、第１の機器と第２の機器とを接続するバスラインの形式に対応した制御が可能になる。
【０１２４】
また、第１のプログラムは、放送信号の送出側から所定の放送波で伝送された信号を受信して得たものであることで、例えば放送信号の送出側で、所定のチャンネルの放送プログラムのダウンロードを指示する第１のプログラムを伝送することで、このプログラムを受信した側では、この第１のプログラムにより起動される第２のプログラムで、接続された機器の情報を得て、その機器に対する的確なダウンロード処理が行え、放送信号の送出側からの指示で任意の放送プログラムなどのダウンロードが行えることになる。
【０１２７】
また本発明の制御装置によると、例えば外部のプログラムから内部のプログラムに対してデフォルト機器情報の取得依頼があった際に、所定のメモリ内にデフォルト機器のＩＤが記憶されていなかった場合でも、接続されている機器の中から最も望ましい機器の情報を返却することにより、現在接続されている機器の情報を取得し、接続されている機器のリストを表示させて、ユーザにその中からどのネットワークのどの機器を使用するのか選択させる手間を省かせることができ、ユーザにとって使用感が向上するネットワーク機器が得られる。
【０１２８】
また、処理部は、第２の記憶部に制御する機器の情報の記憶がないときに、接続された機器の中から最も望ましい機器を選択することで、デフォルト機器が選択されてない場合でも、自動的に最適な機器が選択されるようになる。
【０１３１】
また、処理部が第２のプログラムの実行により上記機器から取得する情報は、機器に付与された識別コードの情報であることで、制御装置側で接続された機器の種類などを判別でき、接続された機器の制御がその判別した識別コードに基づいて適切に行える。
【０１３２】
また、機器と所定の形式のバスラインにより通信を行うインターフェース部を備え、このインターフェース部を介した通信で、処理部は接続された機器の情報を取得すると共に、接続された機器の制御についてもインターフェース部を介した通信で行うことで、例えばＩＥＥＥ１３９４形式などのバスラインにより接続された機器の制御が良好に行える。
【０１３４】
また、所定の形態の放送信号の受信部を備えて、この受信部が受信した放送信号に含まれる第１のプログラムを、第１の記憶部に記憶させることで、例えば放送信号の送出側で、所定のチャンネルの放送プログラムのダウンロードを指示する第１のプログラムを伝送することで、このプログラムを受信した制御装置では、この第１のプログラムにより起動される第２のプログラムで、接続された機器の情報を得て、その機器に対する的確なダウンロード処理が行え、放送信号の送出側からの指示で、制御装置に接続した機器への任意の放送プログラムなどのダウンロードが的確に行えることになる。
【図面の簡単な説明】
【図１】本発明の一実施の形態によるシステム全体の構成例を示すブロック図である。
【図２】本発明の一実施の形態による受信画面の例を示す説明図である。
【図３】本発明の一実施の形態によるデータの送出側の構成例を示すブロック図である。
【図４】本発明の一実施の形態による伝送データ例を示す説明図である。
【図５】本発明の一実施の形態による伝送状態の例を示す説明図である。
【図６】本発明の一実施の形態による接続例を示すブロック図である。
【図７】本発明の一実施の形態によるＩＲＤの構成例を示すブロック図である。
【図８】本発明の一実施の形態による記録装置の構成例を示すブロック図である。
【図９】本発明の一実施の形態によるディスクへのデータ記録状態の例を示す説明図である。
【図１０】本発明の一実施の形態による所定のチャンネルのダウンロード処理例を示すフローチャートである。
【図１１】本発明の一実施の形態によるダウンロード指示があった場合の処理例の詳細を示すフローチャートである。
【図１２】本発明の一実施の形態による受信データとＩＲＤに用意されたプログラムとの関係を示す説明図である。
【図１３】本発明の一実施の形態による別のダウンロード処理例を示すフローチャートである。
【図１４】本発明の一実施の形態による機器ＩＤを機器の種類別に記憶させる場合の処理例を示すフローチャートである。
【図１５】本発明の一実施の形態によるデフォルト機器ＩＤが記憶されてない場合の内部プログラムのデフォルト機器選択処理例を示すフローチャートである。
【図１６】本発明の他の実施の形態による接続例を示すブロック図である。
【図１７】本発明の他の実施の形態による記録装置の構成例を示すブロック図である。
【符号の説明】
３…受信設備、１２…ＩＲＤ、１３…ストレージデバイス、１３Ａ…ＩＥＥＥ１３９４対応のディスク記録再生装置、１４…テレビジョン受像機、５８…制御用ＣＰＵ、５８ａ，５８ｂ…作業用メモリ、６０，７１…ＩＥＥＥ１３９４インターフェース、６１，７９ａ…マンマシンインターフェース、６６…赤外線信号インターフェース、６７…赤外線信号出力部
【図１】
0004441945.tif 000002
【図２】
0004441945.tif 000003
【図３】
0004441945.tif 000004
【図４】
0004441945.tif 000005
【図５】
0004441945.tif 000006
【図６】
0004441945.tif 000007
【図７】
0004441945.tif 000008
【図８】
0004441945.tif 000009
【図９】
0004441945.tif 000010
【図１０】
0004441945.tif 000011
【図１１】
0004441945.tif 000012
【図１２】
0004441945.tif 000013
【図１３】
0004441945.tif 000014
【図１４】
0004441945.tif 000015
【図１５】
0004441945.tif 000016
【図１６】
0004441945.tif 000017
【図１７】
0004441945.tif 000018